(57)【要約】【課題】入浴者の熱中症を未然に防止することができる浴室システムを得る。【解決手段】浴室システムは、追焚用の循環配管１６の追焚往路管１６Ａと追焚復路管１６Ｂとが接続されると共に追焚復路管から追焚往路管に流れる湯水を加熱する熱源機１４と、浴槽１８内に設けられると共に追焚往路管１６Ａから湯水を供給し、浴槽内の湯水を追焚復路管１６Ｂに吸入する循環口２０と、浴室２２に設けられ浴槽１８内の湯水の温度が所定の温度以上に設定されることを禁止するヒートショック防止モードを備えたリモコン７２と、浴槽１８内に溜められる湯水の温度を検出する湯水温度センサ６４と、ヒートショック防止モードが操作された状態で湯水温度センサ６４により検出された湯水の温度が所定の温度以上のときは、浴槽１８内の湯水の温度が所定の温度より低くなるように制御する給水システム１２と、を有する。【選択図】図１
2018165609.tif 000002
【特許請求の範囲】
【請求項１】
追焚往路管、追焚復路管及び循環ポンプを備えた追焚用の循環配管と、
前記追焚往路管と前記追焚復路管とが接続されると共に、前記追焚復路管から前記追焚往路管に流れる湯水をガスバーナの熱を利用して加熱する熱源機と、
浴槽内に設けられると共に前記追焚往路管と前記追焚復路管とがそれぞれ接続され、前記追焚往路管から前記浴槽内に湯水を供給し、前記浴槽内の湯水を前記追焚復路管に吸入する循環口と、
前記浴槽内の湯水の温度が所定の温度以上に設定されることを禁止する禁止モードを備えた操作部と、
前記浴槽内に溜められる湯水の温度を検出する湯水温度検出手段と、
前記禁止モードで、前記湯水温度検出手段により検出された湯水の温度が前記所定の温度以上のときは、前記浴槽内の湯水の温度が前記所定の温度より低くなるように制御する温度制御手段と、
を有する浴室システム。
【請求項２】
配管が接続されると共に、前記配管に供給する湯水をガスバーナの熱を利用して加熱する熱源機と、
浴槽内に設けられると共に前記配管が接続され、前記配管から前記浴槽内に湯水を供給する供給口と、
前記浴槽内の湯水の温度が所定の温度以上に設定されることを禁止する禁止モードを備えた操作部と、
前記浴槽内に溜められる湯水の温度を検出する湯水温度検出手段と、
前記禁止モードで、前記湯水温度検出手段により検出された湯水の温度が前記所定の温度以上のときは、前記浴槽内の湯水の温度が前記所定の温度より低くなるように制御する温度制御手段と、
を有する浴室システム。
【請求項３】
前記温度制御手段は、前記禁止モードで、前記湯水温度検出手段により検出された湯水の温度が前記所定の温度以上のときは、追焚指令を受け付けない請求項１に記載の浴室システム。
【請求項４】
前記温度制御手段は、
前記循環配管に接続され、前記循環配管から前記浴槽内に該浴槽内の湯水より低い温度の足し水を行う給水手段と、
前記禁止モードで、前記湯水温度検出手段により検出された湯水の温度が前記所定の温度以上のときに、前記給水手段を作動させる制御部と、
を有する請求項１又は請求項３に記載の浴室システム。
【請求項５】
前記温度制御手段は、
前記熱源機を介して前記配管に接続され、前記配管から前記浴槽内に該浴槽内の湯水より低い温度の足し水を行う給水手段と、
前記禁止モードで、前記湯水温度検出手段により検出された湯水の温度が前記所定の温度以上のときに、前記給水手段を作動させる制御部と、
を有する請求項２に記載の浴室システム。
【請求項６】
前記浴槽内の入浴者が異常となり得る所定の入浴状態を検出する入浴状態検出手段を備え、
前記制御部は、前記入浴状態検出手段により前記所定の入浴状態が検出されたときに、前記給水手段を作動させる請求項４又は請求項５に記載の浴室システム。
【請求項７】
前記浴槽の底部に設けられ、前記浴槽内の湯水を排水する排水栓と、
前記排水栓を開閉させる開閉手段と、を備え、
前記制御部は、前記開閉手段の開動作により前記排水栓を開放した状態で、前記給水手段を作動させる請求項４から請求項６までのいずれか１項に記載の浴室システム。
【請求項８】
前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、
前記制御部は、前記心拍数検出手段、前記人体検出手段、前記血圧検出手段、前記心電図検出手段の少なくとも１つ以上で検出された情報による入浴者の入浴状態に基づき、前記給水手段を作動させる請求項６に記載の浴室システム。
【請求項９】
前記入浴状態検出手段は、前記湯水温度検出手段と、前記浴槽内の入浴者の入浴時間を計測する入浴時間計測手段と、を備え、
前記制御部は、前記湯水温度検出手段で検出された湯水の温度、及び前記入浴時間計測手段で検出された入浴時間に基づき、前記給水手段を作動させる請求項６に記載の浴室システム。
【請求項１０】
前記制御部は、前記給水手段を作動させた後、前記湯水温度検出手段で検出された湯水の温度に基づき、前記熱源機を動作させて前記循環配管により前記浴槽内の湯水を循環させる請求項４に記載の浴室システム。
【請求項１１】
浴室の温度を検出する浴室温度検出手段と、
前記浴室に設けられると共に前記浴室の温度を上昇させる浴室暖房乾燥機と、を備え、
前記制御部は、前記給水手段を作動させた後、前記浴室温度検出手段で検出された前記浴室の温度に基づき、前記浴室暖房乾燥機を運転する請求項４から請求項６までのいずれか１項に記載の浴室システム。
【請求項１２】
浴室に、音声を出力する報知手段が配置されたリモートコントローラを備え、
前記制御部は、前記給水手段を作動させる前に、前記浴槽内に前記足し水が行われることを前記報知手段から報知する請求項４から請求項６までのいずれか１項に記載の浴室システム。
【発明の詳細な説明】
【技術分野】
【０００１】
本発明は、浴室システムに関する。
【背景技術】
【０００２】
下記特許文献１には、入浴者の心拍数から入浴者の状態を把握し、それに基づいて入浴者の浴槽内における動きがないと検出され、かつ計測された心拍数に異常があったときに、浴槽の底面に配設された自動排水栓から浴槽内の湯水を排出させる浴室システムが開示されている。なお、浴槽の底面に配設された自動排水栓を備え、警報時に自動排水栓を開くシステムとして、特許文献２に記載されたものがある。
【先行技術文献】
【特許文献】
【０００３】
【特許文献１】特開２００４−２７５３４７号公報
【特許文献２】特開２００３−１２３１６２号公報
【発明の概要】
【発明が解決しようとする課題】
【０００４】
上記特許文献１に記載の浴室システムでは、例えば、自動排水栓を後付で施工する場合、浴槽内に設けられているポップアップ排水栓にしか自動排水栓を後付施工することができず、適用できる浴槽が制限される。また、特許文献１は、入浴者に異常が起こった場合に浴槽内の湯水を排水するシステムであり、入浴者の異常発生を未然に防止するための制御は記載されていない。
【０００５】
本発明は、上記問題点に鑑みてなされたものであり、入浴者の熱中症を未然に防止することができる浴室システムを提供することを目的とする。
【課題を解決するための手段】
【０００６】
請求項１に記載の発明に係る浴室システムは、追焚往路管、追焚復路管及び循環ポンプを備えた追焚用の循環配管と、前記追焚往路管と前記追焚復路管とが接続されると共に、前記追焚復路管から前記追焚往路管に流れる湯水をガスバーナの熱を利用して加熱する熱源機と、浴槽内に設けられると共に前記追焚往路管と前記追焚復路管とがそれぞれ接続され、前記追焚往路管から前記浴槽内に湯水を供給し、前記浴槽内の湯水を前記追焚復路管に吸入する循環口と、前記浴槽内の湯水の温度が所定の温度以上に設定されることを禁止する禁止モードを備えた操作部と、前記浴槽内に溜められる湯水の温度を検出する湯水温度検出手段と、前記禁止モードで、前記湯水温度検出手段により検出された湯水の温度が前記所定の温度以上のときは、前記浴槽内の湯水の温度が前記所定の温度より低くなるように制御する温度制御手段と、を有する。
【０００７】
請求項１に記載の発明によれば、熱源機には、追焚用の循環配管に備えられた追焚往路管と追焚復路管とが接続されており、追焚復路管から追焚往路管に流れる湯水がガスバーナの熱を利用して加熱される。浴槽内の循環口は、追焚往路管と追焚復路管とにそれぞれ接続されており、循環配管に備えられた循環ポンプを作動させることで、熱源機から追焚往路管に流れる湯水が循環口から浴槽内に供給される。これと共に、浴槽内の湯水が循環口から追焚復路管に吸入され、追焚復路管を通じて熱源機に流れる。これにより、追焚復路管と追焚往路管とに湯水が循環され、追焚モードが実行される。また、浴槽内の湯水の温度が所定の温度以上に設定されることを禁止する禁止モードを備えた操作部と、浴槽内に溜められる湯水の温度を検出する湯水温度検出手段とが設けられている。そして、禁止モードで、湯水温度検出手段により検出された湯水の温度が所定の温度以上のときは、温度制御手段は、浴槽内の湯水の温度が所定の温度より低くなるように制御する。このため、浴槽内の湯水の温度が、例えば、入浴者が熱中症になりやすい条件である所定の温度以上となることを防止することができ、入浴者の熱中症を未然に防止することができる。
【０００８】
請求項２に記載の発明に係る浴室システムは、配管が接続されると共に、前記配管に供給する湯水をガスバーナの熱を利用して加熱する熱源機と、浴槽内に設けられると共に前記配管が接続され、前記配管から前記浴槽内に湯水を供給する供給口と、前記浴槽内の湯水の温度が所定の温度以上に設定されることを禁止する禁止モードを備えた操作部と、前記浴槽内に溜められる湯水の温度を検出する湯水温度検出手段と、前記禁止モードで、前記湯水温度検出手段により検出された湯水の温度が前記所定の温度以上のときは、前記浴槽内の湯水の温度が前記所定の温度より低くなるように制御する温度制御手段と、を有する。
【０００９】
請求項２に記載の発明によれば、熱源機には、配管が接続されており、熱源機でガスバーナの熱を利用して加熱された湯水が配管に供給される。浴槽内の供給口には、配管が接続されており、配管を流れる湯水が供給口から浴槽内に供給される。また、浴槽内の湯水の温度が所定の温度以上に設定されることを禁止する禁止モードを備えた操作部と、浴槽内に溜められる湯水の温度を検出する湯水温度検出手段とが設けられている。そして、禁止モードで、湯水温度検出手段により検出された湯水の温度が所定の温度以上のときは、温度制御手段は、浴槽内の湯水の温度が所定の温度より低くなるように制御する。このため、浴槽内の湯水の温度が、例えば、入浴者が熱中症になりやすい条件である所定の温度以上となることを防止することができ、入浴者の熱中症を未然に防止することができる。
【００１０】
請求項３に記載の発明は、請求項１に記載の浴室システムにおいて、前記温度制御手段は、前記禁止モードで、前記湯水温度検出手段により検出された湯水の温度が前記所定の温度以上のときは、追焚指令を受け付けない。
【００１１】
請求項３に記載の発明によれば、温度制御手段は、禁止モードで、湯水温度検出手段により検出された湯水の温度が所定の温度以上のときは、追焚指令を受け付けない。このため、浴槽内の湯水の温度が、それ以上高くなることがない。
【００１２】
請求項４に記載の発明は、請求項１又は請求項３に記載の浴室システムにおいて、前記温度制御手段は、前記循環配管に接続され、前記循環配管から前記浴槽内に該浴槽内の湯水より低い温度の足し水を行う給水手段と、前記禁止モードで、前記湯水温度検出手段により検出された湯水の温度が前記所定の温度以上のときに、前記給水手段を作動させる制御部と、を有する。
【００１３】
請求項４に記載の発明によれば、循環配管には、循環配管から浴槽内に該浴槽内の湯水より低い温度の足し水を行う給水手段が接続されている。制御部は、禁止モードで湯水温度検出手段により検出された湯水の温度が所定の温度以上のときに、給水手段を作動させる。これにより、循環配管から浴槽内に該浴槽内の湯水より低い温度の足し水が行われる。このため、浴槽内の湯水を所定の温度より低い温度に下げることができる。
【００１４】
請求項５に記載の発明は、請求項２に記載の浴室システムにおいて、前記温度制御手段は、前記熱源機を介して前記配管に接続され、前記配管から前記浴槽内に該浴槽内の湯水より低い温度の足し水を行う給水手段と、前記禁止モードで、前記湯水温度検出手段により検出された湯水の温度が前記所定の温度以上のときに、前記給水手段を作動させる制御部と、を有する。
【００１５】
請求項５に記載の発明によれば、配管から浴槽内に足し水を行う給水手段が、熱源機を介して配管に接続されている。制御部は、禁止モードで湯水温度検出手段により検出された湯水の温度が所定の温度以上のときに、給水手段を作動させる。これにより、配管から浴槽内に該浴槽内の湯水より低い温度の足し水が行われる。このため、浴槽内の湯水を所定の温度より低い温度に下げることができる。
【００１６】
請求項６に記載の発明は、請求項４又は請求項５に記載の浴室システムにおいて、前記浴槽内の入浴者が異常となり得る所定の入浴状態を検出する入浴状態検出手段を備え、前記制御部は、前記入浴状態検出手段により前記所定の入浴状態が検出されたときに、前記給水手段を作動させる。
【００１７】
請求項６に記載の発明によれば、制御部は、入浴状態検出手段により浴槽内の入浴者が異常となり得る所定の入浴状態が検出されたときに、給水手段を作動させる。これにより、浴槽内に該浴槽内の湯水より低い温度の足し水が行われ、給水前よりも浴槽内の湯水の温度が低下する。したがって、例えば、禁止モード以外で、入浴者が意識を失いやすい条件で入浴している場合などに、給水前よりも浴槽内の湯水の温度を低下させることで、入浴者の熱中症を未然に防止し、又は入浴者が熱中症気味の場合に早期に復帰させることができる。
【００１８】
請求項７に記載の発明は、請求項４から請求項６までのいずれか１項に記載の浴室システムにおいて、前記浴槽の底部に設けられ、前記浴槽内の湯水を排水する排水栓と、前記排水栓を開閉させる開閉手段と、を備え、前記制御部は、前記開閉手段の開動作により前記排水栓を開放した状態で、前記給水手段を作動させる。
【００１９】
請求項７に記載の発明によれば、浴槽の底部に排水栓が設けられており、排水栓は、開閉手段によって開閉される。制御部は、開閉手段の開動作により排水栓を開放した状態で、給水手段を作動させる。これにより、浴槽内の湯水が、開放された排水栓を介して排水されつつ、給水手段によって浴槽内の湯水よりも低い温度で足し水が行われる。このため、浴槽内に足し水を行う際に、浴槽内の湯水が増加し、又は溢れることを抑制することができる。また、入浴者が意識を失った場合又は熱中症気味の場合などでも、入浴者が浴槽内で溺れることを未然に防止することができる。
【００２０】
請求項８に記載の発明は、請求項６に記載の浴室システムにおいて、前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、前記制御部は、前記心拍数検出手段、前記人体検出手段、前記血圧検出手段、前記心電図検出手段の少なくとも１つ以上で検出された情報による入浴者の入浴状態に基づき、前記給水手段を作動させる。
【００２１】
請求項８に記載の発明によれば、浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備えている。制御部は、心拍数検出手段、人体検出手段、血圧検出手段、心電図検出手段の少なくとも１つ以上で検出された情報による入浴者の入浴状態に基づき、給水手段を作動させる。これにより、例えば、入浴者の心拍数や血圧が許容値よりも高い場合、入浴者が動かない場合などに、浴槽内の湯水よりも低い温度で足し水を行うことができる。
【００２２】
請求項９に記載の発明は、請求項６に記載の浴室システムにおいて、前記入浴状態検出手段は、前記湯水温度検出手段と、前記浴槽内の入浴者の入浴時間を計測する入浴時間計測手段と、を備え、前記制御部は、前記湯水温度検出手段で検出された湯水の温度、及び前記入浴時間計測手段で検出された入浴時間に基づき、前記給水手段を作動させる。
【００２３】
請求項９に記載の発明によれば、制御部は、湯水温度検出手段で検出された湯水の温度、及び入浴時間計測手段で検出された浴槽内の入浴者の入浴時間に基づき、給水手段を作動させる。例えば、消費者庁の公表資料（平成２８年１月２０日付け）には、「４１℃以下のお湯で１０分未満に上がる」ことが安全な入浴方法として推奨されている。このため、例えば、禁止モード以外で、上記条件を満たさない場合（４１℃以上の湯水に１０分以上入浴している場合など）に、浴槽内の湯水よりも低い温度で足し水を行うことができ、入浴者が異常状態となるのを未然に防止することができる。
【００２４】
請求項１０に記載の発明は、請求項４に記載の浴室システムにおいて、前記制御部は、前記給水手段を作動させた後、前記湯水温度検出手段で検出された湯水の温度に基づき、前記熱源機を動作させて前記循環配管により前記浴槽内の湯水を循環させる。
【００２５】
請求項１０に記載の発明によれば、制御部は、給水手段を作動させた後、湯水温度検出手段で検出された湯水の温度に基づき、熱源機を動作させて循環配管により浴槽内の湯水を循環させる。これにより、浴槽内の湯水の温度が上昇するため、足し水の後に放熱によって、浴槽内の湯水の温度が下がり過ぎて、入浴者の状態が悪化することを防止することができる。
【００２６】
請求項１１に記載の発明は、請求項４から請求項６までのいずれか１項に記載の浴室システムにおいて、浴室の温度を検出する浴室温度検出手段と、前記浴室に設けられると共に前記浴室の温度を上昇させる浴室暖房乾燥機と、を備え、前記制御部は、前記給水手段を作動させた後、前記浴室温度検出手段で検出された前記浴室の温度に基づき、前記浴室暖房乾燥機を運転する。
【００２７】
請求項１１に記載の発明によれば、制御部は、給水手段を作動させた後、浴室温度検出手段で検出された浴室の温度に基づき、浴室暖房乾燥機を運転する。これにより、浴室の温度が上昇するため、足し水の後に放熱によって、浴室の温度が下がり過ぎて、入浴者の状態が悪化することを防止することができる。
【００２８】
請求項１２に記載の発明は、請求項４から請求項６までのいずれか１項に記載の浴室システムにおいて、浴室に、音声を出力する報知手段が配置されたリモートコントローラを備え、前記制御部は、前記給水手段を作動させる前に、前記浴槽内に前記足し水が行われることを前記報知手段から報知する。
【００２９】
請求項１２に記載の発明によれば、浴室に報知手段が配置されたリモートコントローラを備えており、制御部は、給水手段を作動させる前に、浴槽内に足し水が行われることを音声で報知手段から入浴者に報知する。このため、入浴者に事前に知らせることなく、いきなり浴槽内に足し水が行われることが回避される。
【発明の効果】
【００３０】
本発明によれば、入浴者の熱中症を未然に防止することができる。
【図面の簡単な説明】
【００３１】
【図１】本発明の第１実施形態に係る浴室システムを示す概略構成図である。
【図２】図１に示す浴室システムの動作を制御するための制御系のブロック図である。
【図３】図１に示す浴室システムに用いられる浴室用のリモートコントローラを示す正面図である。
【図４】図１に示す浴室システムにおいて、追焚時の湯水の流れを示す概略構成図である。
【図５】図１に示す浴室システムにおいて、異常となり得る状態が検出されたときに、浴槽内に足し水が行われる水の流れを示す概略構成図である。
【図６】図１に示す浴室システムに用いられる給水システムの制御系のフローチャートである。
【図７】本発明の第２実施形態に係る浴室システムを示す概略構成図である。
【図８】本発明の第３実施形態に係る浴室システムの動作を制御するための制御系のブロック図である。
【図９】本発明の第３実施形態に係る浴室システムに用いられる給水システムの制御系のフローチャートである。
【図１０】本発明の第４実施形態に係る浴室システムを示す概略構成図である。
【図１１】本発明の第５実施形態に係る浴室システムの動作を制御するための制御系のブロック図である。
【発明を実施するための形態】
【００３２】
以下、本発明の実施の形態を図面に基づいて説明する。
【００３３】
〔第１実施形態〕
図１〜図６を用いて、本発明の第１実施形態である浴室システムについて説明する。
【００３４】
図１には、本発明の第１実施形態である浴室システム１０が概略構成図にて示されている。図１に示されるように、浴室システム１０は、湯水を加熱する熱源機１４と、熱源機１４に接続される追焚用の循環配管１６と、循環配管１６が接続されると共に熱源機１４との間で湯水が循環される浴槽１８と、を備えている。また、浴室システム１０は、浴槽１８内の湯水の温度が後述する所定の温度より低くなるように制御する温度制御手段としての給水システム１２を備えている。
【００３５】
循環配管１６は、熱源機１４に接続されて熱源機１４から浴槽１８に湯水を流す追焚往路管１６Ａと、熱源機１４に接続されて浴槽１８から熱源機１４に湯水を流す追焚復路管１６Ｂと、を備えている。浴槽１８の内壁には、循環口２０が設けられている。循環口２０に追焚往路管１６Ａと追焚復路管１６Ｂとがそれぞれ接続されている。より詳細には、循環口２０は、追焚往路管１６Ａが接続されると共に湯水が浴槽１８内に吐出される吐出口２０Ａと、追焚復路管１６Ｂが接続されると共に浴槽１８内から湯水が吸入される吸入口２０Ｂと、を備えている。また、熱源機１４には、追焚復路管１６Ｂと追焚往路管１６Ａとに湯水を循環させる後述の循環ポンプ４２が設けられている。
【００３６】
浴槽１８は、浴室２２に設けられている。浴槽１８の側部には、エプロン２４が着脱可能に取り付けられており、エプロン２４の内部に追焚往路管１６Ａ及び追焚復路管１６Ｂの一部が配置されている。
【００３７】
浴槽１８の底部には、排水口３４が設けられており、この排水口３４を塞ぐ排水栓３６が設けられている。排水栓３６は、浴槽１８に設けられた図示しない開閉ボタンによって開閉されるようになっている。
【００３８】
熱源機１４は、屋外に配置されている。熱源機１４は、筐体４０の内部に、循環ポンプ４２と、追焚部４４と、給湯部４６とを備えている。筐体４０の底部には、図示しない排気口を介してファン５０が設けられている。
【００３９】
追焚部４４は、熱交換器５２と、ガスバーナ５４とを備えている。図示を省略するが、追焚復路管１６Ｂの湯水流動方向の下流端は、追焚部４４内に配置された熱交換器５２の入口に接続されており、追焚往路管１６Ａの湯水流動方向の上流端は、熱交換器５２の出口に接続されている。熱源機１４の内部には、追焚復路管１６Ｂにおける熱交換器５２よりも湯水流動方向の上流側に循環ポンプ４２が設けられている。ガスバーナ５４には、ガス（都市ガス）を供給する配管（図示省略）が接続されると共に、点火装置（図示省略）が設けられている。追焚部４４では、追焚復路管１６Ｂから追焚往路管１６Ａに流れる湯水が、ガスバーナ５４の熱を利用して加熱されるようになっている。なお、図示を省略するが、熱源機１４では、ガス燃焼で暖房配管を流れる熱媒を加熱し、暖房配管から追焚用の循環配管１６に液−液熱交換器で熱を伝える間接熱交換方式も採用されている。
【００４０】
給湯部４６は、一次熱交換器５６と、二次熱交換器５８と、ガスバーナ６０と、を備えている。また、循環配管１６の追焚復路管１６Ｂには、浴槽１８内に足し水を行う給水手段としての給水装置２６が、給湯部４６を介して接続されている。給水装置２６は、給湯部４６から追焚復路管１６Ｂに接続される湯張り配管６２と、給湯部４６の二次熱交換器５８に水を供給する水供給配管２８と、水供給配管２８の水の流動方向の上流側に配置された水供給部３０と、を備えている。なお、湯張り配管６２及び水供給配管２８は、給水配管の一例である。
【００４１】
言い換えると、水供給配管２８が給湯部４６を介して湯張り配管６２に接続されており、湯張り配管６２が追焚復路管１６Ｂに接続されている。さらに、湯張り配管６２には、湯張り配管６２を開閉する弁としての電磁弁３２が設けられている。湯張り配管６２は、追焚復路管１６Ｂに設けられた循環ポンプ４２よりも湯水流動方向の上流側で、追焚復路管１６Ｂに接続されている。
【００４２】
図示を省略するが、二次熱交換器５８に水を供給する水供給配管２８には、水供給配管２８から供給される水を二次熱交換器５８に通した後に一次熱交換器５６に通すように配置された配管が接続されている。配管は、一次熱交換器５６の出口で湯張り配管６２の湯水流動方向の上流側に接続されている。給湯部４６では、二次熱交換器５８から一次熱交換器５６に流れる水がガスバーナ６０の熱を利用して加熱され、湯張り配管６２に湯水が流れるようになっている。本実施形態では、給水装置２６から循環配管１６を介して浴槽１８内に足し水を行う際には、ガスバーナ６０を点火しない構成とされている。
【００４３】
給水装置２６は、電磁弁３２の開動作により湯張り配管６２が開放されると、水供給部３０から水供給配管２８に水が供給され、さらに水が給湯部４６から湯張り配管６２を通って追焚復路管１６Ｂに流れる（図５参照）。本実施形態では、水供給部３０は上水道とされている。さらに、追焚復路管１６Ｂに供給された水は、一方の追焚復路管１６Ｂを流れて吸入口２０Ｂから浴槽１８内に供給されると共に、他方の追焚復路管１６Ｂから追焚部４４を介して追焚往路管１６Ａに流れて吐出口２０Ａから浴槽１８内に供給されるようになっている（図５参照）。このとき、追焚部４４のガスバーナ５４は点火されない。これにより、浴槽１８内に該浴槽１８内の湯水より低い温度の足し水が行われるようになっている。
【００４４】
筐体４０の内部には、湯張り配管６２が追焚復路管１６Ｂに接続された部位よりも追焚復路管１６Ｂにおける湯水の流れ方向上流側に、浴槽１８内に溜められる湯水の温度を検出する湯水温度センサ６４と、浴槽１８内の湯水の水位を検出する水位センサ６６とが、設けられている。また、筐体４０の内部の水供給配管２８には、水供給部３０から供給される水の温度を検出する給水温度センサ６８が設けられている。湯水温度センサ６４は、浴槽１８内から循環された湯水が追焚復路管１６Ｂを流れるときに、湯水の温度を検出するようになっている。
【００４５】
本実施形態の浴室システム１０は、リモートコントローラ７２（以下、リモコン７２と略称する）と、制御ユニット７４と、を備えている。リモコン７２は、浴室２２の側壁に設けられている。制御ユニット７４は、一例として熱源機１４の内部に設けられている。リモコン７２と制御ユニット７４とはケーブルによって接続されている。
【００４６】
図２には、本実施形態の浴室システム１０がブロック図にて示されている。図２に示されるように、リモコン７２は、浴室システム１０の運転状況等を表示する表示部７６と、浴室システム１０の所定の運転等を選択する複数のボタン（図３参照）を有する操作部７８と、を備えている。また、リモコン７２は、表示部７６及び操作部７８とそれぞれ電気的に接続されると共にリモコン７２を制御する制御部８０と、制御部８０に電気的に接続されると共に制御ユニット７４との通信を行う通信部８２と、を備えている。また、リモコン７２は、制御部８０と電気的に接続されると共に運転状況等の情報を音声として出力する報知手段としてのスピーカ１００を備えている。さらに、リモコン７２は、制御部８０と電気的に接続されると共に入浴者の生体情報を検出する生体情報センサ９４を備えている。
【００４７】
本実施形態の浴室システム１０は、追焚往路管１６Ａ及び追焚復路管１６Ｂを備えた循環配管１６と、熱源機１４と、循環口２０と、循環ポンプ４２と、給水装置２６と、湯水温度センサ６４と、制御ユニット７４とを主要な構成要素として有している。また、給水システム１２は、給水装置２６と、制御ユニット７４とを主要な構成要素として有している。給水装置２６は、水供給部３０と、水供給配管２８と、給湯部４６を介し水供給配管２８に接続される湯張り配管６２と、電磁弁３２とを主要な構成要素として有している。
【００４８】
生体情報センサ９４としては、例えば、浴室２２（図１参照）内にいる者（入浴しているとは限らない）の位置を検出する人体検出手段としての人感センサ、入浴者の心拍数を検出する心拍数検出手段としての心拍数センサ、入浴者の血圧を検出する血圧検出手段としての血圧センサ、入浴者の心電図を検出する心電図検出手段としての心電図センサ等の少なくとも１つ以上が設けられている。そして、給水システム１２では、人感センサ、心拍数センサ、血圧センサ、心電図センサ等の少なくとも１つ以上で検出された生体情報による入浴者の入浴状態に基づき、電磁弁３２を開動作させる構成とされている。本実施形態では、生体情報センサ９４として、人感センサ、心拍数センサ、血圧センサ、及び心電図センサが設けられている。心拍数センサは、入浴者と非接触の状態で入浴者の心拍数を検出する構成とされている。また、血圧センサも同様に、入浴者と非接触の状態で入浴者の血圧を検出する構成とされている。また、心電図センサも同様に、入浴者と非接触の状態で入浴者の心電図を検出する構成とされている。
【００４９】
生体情報センサ９４としての人感センサで検出された浴室２２内にいる者の位置情報は、制御部８０に伝達される。制御部８０は、浴室２２内にいる者の位置情報に対応する信号を通信部８２から制御ユニット７４に出力する。また、生体情報センサ９４としての心拍数センサで検出された入浴者の心拍数の情報は、制御部８０に伝達される。さらに、生体情報センサ９４としての血圧センサで検出された入浴者の血圧の情報は、制御部８０に伝達される。制御部８０では、人感センサから出力された位置検出信号が処理されることで、浴室２２内にいる者の位置が特定される。制御部８０では、心拍数センサから出力された心拍数検出信号が処理されることで、入浴者の心拍数が計測される。同様に、制御部８０では、血圧センサから出力された血圧検出信号が処理されることで、入浴者の血圧が計測される。また、同様に、制御部８０では、心電図センサから出力された心電図検出信号が処理されることで、入浴者の心電図が計測される。制御部８０は、入浴者の位置情報、入浴者の心拍数の情報、入浴者の血圧の情報、及び入浴者の心電図の情報に対応する信号をそれぞれ通信部８２から制御ユニット７４に出力する。また、制御部８０は、操作部７８で各ボタン等の操作が行われたときに、各ボタン等の操作に対応する信号を通信部８２から制御ユニット７４に出力する。
【００５０】
制御ユニット７４は、追焚部４４及び給湯部４６（図１参照）の構成機器を動作させる燃焼ユニット８４と、燃焼ユニット８４と電気的に接続されると共に浴室システム１０の全体を制御する制御部８６と、制御部８６と電気的に接続されると共にリモコン７２等との通信を行う通信部８８と、を備えている。制御ユニット７４の通信部８８とリモコン７２の通信部８２とは電気的に接続されている。また、制御ユニット７４は、時間を計測するタイマ９０を備えており、タイマ９０は、制御部８６に電気的に接続されている。タイマ９０は、例えば、入浴時間、電磁弁３２が開動作されたときからの経過時間などを計測する。通信部８８は、循環ポンプ４２、電磁弁３２、湯水温度センサ６４、及び水位センサ６６とそれぞれ電気的に接続されている。また、通信部８８は、給水温度センサ６８と電気的に接続されている。制御部８６は、通信部８８を介して信号を送信することで、循環ポンプ４２、電磁弁３２の動作を制御する。また、湯水温度センサ６４で検出された湯水の温度に対応する信号、水位センサ６６で検出された浴槽１８内の湯水の水位に対応する信号、給水温度センサ６８で検出された水の温度に対応する信号は、それぞれ通信部８８から制御部８６に入力される。制御部８６は、湯水温度センサ６４からの信号を処理することで湯水の温度を計測し、水位センサ６６からの信号を処理することで浴槽１８内の湯水の水位を計測する。さらに、制御部８６は、給水温度センサ６８からの信号を処理することで水供給部３０から供給される水の温度を計測する。
【００５１】
制御部８６は、各運転を行うためのプログラムなどを記憶したＲＯＭ（読み出し専用メモリ）、リモコン７２や各センサ等から出力された信号に基づくデータを一時的に記憶するＲＡＭ（書き換え可能メモリ）、及び、各プログラムを実行するＣＰＵ（中央演算素子）等を有している。
【００５２】
リモコン７２から出力された浴室２２内にいる者の位置情報、入浴者の心拍数の情報、入浴者の血圧の情報、及び入浴者の心電図の情報に対応する信号は、それぞれ制御ユニット７４の制御部８６に入力されるようになっている。浴室２２内にいる者の位置情報、入浴者の心拍数の情報、入浴者の血圧の情報、及び入浴者の心電図の情報に対応する信号に基づく制御部８６の電磁弁３２の制御については、後に説明する。
【００５３】
図３には、リモコン７２が正面図にて示されている。図３に示されるように、リモコン７２は、ＯＮ/ＯＦＦ状態とする運転スイッチ１０２と、浴槽１８に自動で湯張りを行う風呂自動ボタン１０４と、追焚を行う追焚ボタン１０６と、浴室２２の外部の者の呼び出しを行う呼び出しボタン１１０と、を備えている。また、リモコン７２は、給水装置２６により浴槽１８内への足し水が行われたときに足し水を停止する足し水停止ボタン１１２を備えている。さらに、リモコン７２は、浴槽１８内の湯水の温度が所定の温度（例えば、４１℃）以上に設定されることを禁止する禁止モードに設定するためのヒートショック防止モードボタン１１４を備えている。これらのスイッチ及び複数のボタンで操作部７８（図２参照）が構成されている。さらに、リモコン７２は、表示部７６と、スピーカ１００と、生体情報センサ９４と、を備えている。なお、図示を省略するが、リモコン７２には、浴槽１８内の湯水の温度を設定する設定ボタンなど、他のボタンが設けられていてもよい。
【００５４】
浴室システム１０では、リモコン７２は、ヒートショック防止モードボタン１１４が押された状態で、浴槽１８内の湯水の温度を所定の温度（例えば、４１℃）以上に設定できない構成とされている。すなわち、リモコン７２の制御部８０は、例えば、上記設定ボタン（図示省略）を押して、浴槽１８内の湯水の温度を所定の温度（例えば、４１℃）以上に設定しようとしても、設定ボタンの信号を受け付けない。また、浴室システム１０では、ヒートショック防止モードボタン１１４が押された状態で、湯水温度センサ６４で検出された湯水の温度が所定の温度（例えば、４１℃）以上のときは、制御部８６は、リモコン７２の追焚ボタン１０６が押されても、追焚モードを実行しない。すなわち、循環ポンプ４２及び追焚部４４が作動せず、浴槽１８内の湯水が循環配管１６に追焚循環されないようになっている（図１参照）。
【００５５】
図１に示されるように、給水システム１２では、電磁弁３２により湯張り配管６２が閉止されているときは、水供給部３０から水供給配管２８、給湯部４６及び湯張り配管６２を介して追焚復路管１６Ｂに水が供給されないようになっている。また、図５に示されるように、給水システム１２では、電磁弁３２の開動作により湯張り配管６２が開放された状態では、水供給部３０から水供給配管２８、給湯部４６及び湯張り配管６２を介して追焚復路管１６Ｂに水が供給されるようになっている。
【００５６】
浴室システム１０では、ヒートショック防止モードボタン１１４が押された状態で、湯水温度センサ６４で検出された湯水の温度が所定の温度（例えば、４１℃）以上のときは、制御部８６は、浴槽１８内の湯水の温度が所定の温度より低くなるような制御を行う。例えば、制御部８６は、湯張りの際には、浴槽１８内に所定の温度（例えば、４１℃）より低い湯水が溜められるように、熱源機１４の給湯部４６の火力を制御する。また、例えば、制御部８６は、浴槽１８内に湯水が溜められた後の場合は、給水装置２６を作動させ、浴槽１８内に該浴槽１８内の湯水より低い温度の足し水を行う。
【００５７】
本実施形態では、生体情報センサ９４は、浴槽１８内の入浴者が異常となり得る所定の入浴状態を検出する入浴状態検出手段として機能している。例えば、制御部８６は、生体情報センサ９４としての人感センサで検出された浴槽１８内の入浴者の位置情報に基づき、入浴者の動きが一定時間以上無いことが検出されたときに、入浴者が異常となり得る所定の入浴状態と判定する。又は、制御部８６は、生体情報センサ９４としての心拍数センサによって検出された入浴者の心拍数が、所定の心拍数の一例としての第１の閾値以上となったときに、入浴者が異常となり得る所定の入浴状態と判定する。又は、制御部８６は、生体情報センサ９４としての血圧センサによって検出された入浴者の血圧が、所定の血圧の一例としての第２の閾値以上となったときに、入浴者が異常となり得る所定の入浴状態と判定する。又は、制御部８６は、生体情報センサ９４としての心電図センサによって検出された入浴者の心電図から読み取れる情報が、ある一定の条件を満たした場合に、入浴者が異常となり得る所定の入浴状態と判定する。このとき、制御部８６は、給水装置２６を作動させる。より具体的には、制御部８６は、電磁弁３２を開動作させ、湯張り配管６２を開放する。本実施形態では、入浴者の心拍数の絶対値が、第１の閾値以上となったときに、電磁弁３２を開動作させるが、入浴者の心拍数の変化分（上昇分）が、所定の心拍数の変化値（上昇値）以上となったときに、電磁弁３２を開動作させるようにしてもよい。同様に、本実施形態では、入浴者の血圧の絶対値が、第２の閾値以上となったときに、電磁弁３２を開動作させるが、入浴者の血圧の変化分（上昇分）が、所定の血圧の変化値（上昇値）以上となったときに、電磁弁３２を開動作させるようにしてもよい。
【００５８】
制御部８６は、電磁弁３２を開動作した後、所定の条件を満たした場合に、電磁弁３２を閉動作させる。例えば、制御部８６は、湯水温度センサ６４で検出された湯水の温度が所定の温度（例えば、体温である約３６℃）以下となったとき、又は、足し水停止ボタン１１２が押されたときに、電磁弁３２を閉動作させ、足し水を停止する。
【００５９】
次に、本実施形態の作用及び効果について説明する。
【００６０】
＜追焚運転＞
浴槽１８に湯水が張られた状態では、電磁弁３２により湯張り配管６２が閉止されている。浴槽１８に湯水が張られた（溜められた）状態で、図３に示されるリモコン７２の追焚ボタン１０６が押されると、図２に示されるリモコン７２の制御部８０から通信部８８を介して制御ユニット７４に追焚指令信号が出力される。制御ユニット７４の制御部８６は、追焚指令信号を検出すると、追焚モードになる。
【００６１】
図４に示されるように、制御ユニット７４の制御部８６（図２参照）は、電磁弁３２により湯張り配管６２が閉止されている状態で、追焚運転を開始する。追焚運転では、ガスバーナ５４にガスを供給すると共に点火装置を起動させてガスをガスバーナ５４にて燃焼させる。さらに、制御部８６は、循環ポンプ４２を作動させる。
【００６２】
循環ポンプ４２が作動すると、矢印Ａに示されるように、浴槽１８内の湯水が循環口２０の吸入口２０Ｂから吸入され、この吸入された湯水が追焚復路管１６Ｂを通じて熱源機１４の追焚部４４の熱交換器５２に戻される。さらに、熱交換器５２に戻された湯水は、ガスバーナ５４で加熱され、この加熱された湯水は、矢印Ａに示されるように、追焚往路管１６Ａを通じて循環口２０の吐出口２０Ａから浴槽１８内に吐出される。
【００６３】
追焚復路管１６Ｂには、湯水温度センサ６４が設けられており、湯水温度センサ６４は、追焚復路管１６Ｂを流れる湯水の温度に応じた温度検出信号を出力する。そして、追焚運転時には、制御ユニット７４の制御部８６において、湯水温度センサ６４からの温度検出信号に基づく温度検出値が所定の追焚温度として設定された設定値に達したと判断されるまで（湯水の温度が設定追焚温度になるまで）、上記動作が繰り返される。これにより、浴槽１８内の湯水が追焚される。
【００６４】
＜ヒートショック防止モードの設定時＞
浴室システム１０では、リモコン７２のヒートショック防止モードボタン１１４が押されると、ヒートショック防止モードボタン１１４が点灯し、ヒートショック防止モードとなる（図３参照）。この状態では、リモコン７２の設定ボタン（図示省略）を押して、浴槽１８内の湯水の温度を所定の温度（例えば、４１℃）以上に設定しようとしても、設定ボタンの信号を受け付けない。なお、ヒートショック防止モードを解除するには、例えば、ヒートショック防止モードボタン１１４を長押しすることで、ヒートショック防止モードボタン１１４を消灯する。
【００６５】
ヒートショック防止モードボタン１１４が押された状態で、湯水温度センサ６４で検出される湯水の温度が所定の温度（例えば、４１℃）以上のときは、制御部８６は、浴槽１８内の湯水の温度が所定の温度より低くなるような制御を行う。例えば、制御部８６は、浴槽１８内への湯張りの際には、浴槽１８内に所定の温度（例えば、４１℃）より低い湯水が溜められるように、熱源機１４の給湯部４６の火力を制御する。これにより、浴槽１８内の湯水の温度が、例えば、入浴者が熱中症になりやすい条件である所定の温度（例えば、４１℃）以上となることを防止することができ、入浴者の熱中症を未然に防止することができる。
【００６６】
また、例えば、制御部８６は、浴槽１８内に湯水が溜められた後の場合は、給水装置２６を作動させる。より具体的には、図５に示されるように、制御部８６は、電磁弁３２の開動作により湯張り配管６２を開放する。これにより、矢印Ｂに示されるように、上水道の給水圧力によって、水供給部３０から水が水供給配管２８を流れ、さらに水は給湯部４６を介して湯張り配管６２に流れて追焚復路管１６Ｂで分流される。このとき、給湯部４６のガスバーナ６０は、点火されていない。そして、矢印Ｂに示されるように、水が追焚復路管１６Ｂを追焚時とは反対方向に流れ、循環口２０の吸入口２０Ｂから水が浴槽１８内に供給される。これと共に、矢印Ｃに示されるように、水が追焚復路管１６Ｂから熱源機１４を介して追焚往路管１６Ａに流れ、循環口２０の吐出口２０Ａから浴槽１８内に水が供給される。これにより、浴槽１８内の湯水よりも低い温度で足し水が行われる。このとき、熱源機１４の追焚部４４は停止されている（追焚部４４のガスバーナ５４は点火されていない）。このため、浴槽１８内の湯水の温度が所定の温度（例えば、４１℃）より低くなる。したがって、浴槽１８内の湯水の温度が、例えば、入浴者が熱中症になりやすい条件である所定の温度以上となることを防止することができ、入浴者の熱中症を未然に防止することができる。
【００６７】
また、ヒートショック防止モードボタン１１４が押された状態で、湯水温度センサ６４で検出された湯水の温度が所定の温度（例えば、４１℃）以上のときは、制御部８６は、リモコン７２の追焚ボタン１０６が押されても、追焚モードを実行しない。このため、浴槽１８内の湯水が熱源機１４の作動によって循環配管１６に追焚循環されず、浴槽１８内の湯水の温度がそれ以上高くなることを防止することができる。
【００６８】
＜異常検出時＞
制御部８６は、生体情報センサ９４（図２等参照）によって検出された生体情報に基づき、所定の条件下で異常検出と判定したとき、給水モードとなる。本実施形態では、例えば、ヒートショック防止モードボタン１１４が押されていない状態で、所定の条件下で異常検出と判定したときは、給水モードとなる。例えば、制御部８６は、生体情報センサ９４としての人感センサで検出された浴槽１８内の入浴者の位置情報に基づき、入浴者の動きが一定時間以上無いことが検出されたとき、生体情報センサ９４としての心拍数センサによって検出された入浴者の心拍数が、所定の心拍数の一例としての第１の閾値以上となったとき、生体情報センサ９４としての血圧センサによって検出された入浴者の血圧が、所定の血圧の一例としての第２の閾値以上となったとき、又は、生体情報センサ９４としての心電図センサによって検出された入浴者の心電図から読み取れる情報が、ある一定の条件を満たしたときに、異常発生（異常検出）と判定する。異常発生と判定されることで、給水モードとなり、図５に示されるように、制御部８６は、電磁弁３２の開動作により湯張り配管６２を開放する。これにより、矢印Ｂに示されるように、上水道の給水圧力によって、水供給部３０から水が水供給配管２８を流れ、さらに水は給湯部４６を介して湯張り配管６２に流れて追焚復路管１６Ｂで分流される。このとき、給湯部４６のガスバーナ６０は、点火されていない。そして、矢印Ｂに示されるように、水が追焚復路管１６Ｂを追焚時とは反対方向に流れ、循環口２０の吸入口２０Ｂから水が浴槽１８内に供給される。これと共に、矢印Ｃに示されるように、水が追焚復路管１６Ｂから熱源機１４を介して追焚往路管１６Ａに流れ、循環口２０の吐出口２０Ａから浴槽１８内に水が供給される。これにより、浴槽１８内の湯水よりも低い温度で足し水が行われる。このとき、熱源機１４の追焚部４４は停止されている（追焚部４４のガスバーナ５４は点火されていない）。
【００６９】
ここで、本実施形態の給水システム１２の制御をより具体的に説明する。
【００７０】
図６は、本実施形態の給水システム１２の制御系のフローチャートである。図６に示されるように、ステップ１３０では、異常発生が検出されたか否かが判定される。ステップ１３０で、異常発生が検出されると、ステップ１３２で、制御部８６は、電磁弁３２を開動作させ、湯張り配管６２を開放する。これにより、足し水が開始される。一方、ステップ１３０で、異常発生が検出されない場合は、異常発生が検出されるまで、ステップ１３０が繰り返される。
【００７１】
さらに、ステップ１３４で、制御部８６は、足し水量（目標値）を計算する。より詳細には、制御部８６は、湯張りデータ（例えば、風呂設定温度、浴槽１８内の湯水の水位等）から、現在の浴槽１８内の湯水の量及び温度を予測し、所定の温度（例えば、体温である約３６℃）以下になる足し水量（目標値）を計算する。
【００７２】
例えば、風呂設置温度が４０℃、浴槽１８内の湯水の水位（湯水の量）が２００Ｌ、供給される水の温度が１０℃のとき、足し水量（目標値）は、以下の式で計算できる。
（足し水量）＝２００×（４０−３６）／（３６−１０）≒３１Ｌ
【００７３】
このとき、供給される水の温度は、水供給配管２８を流れるときに給水温度センサ６８により検出される。また、供給される水の温度は、追焚復路管１６Ｂを流れるときに湯水温度センサ６４でも検出される。供給される水の温度は、給水温度センサ６８と湯水温度センサ６４のどちらのセンサで計測してもよい。
【００７４】
次いで、ステップ１３６で、目標値まで足し水が完了したか否かが判定される。本実施形態では、水位センサ６６によって検出された浴槽１８内の湯水の水位から湯水の量を予測し、足し水量（目標値）に達したか否かが判定される。ステップ１３６で目標値まで足し水が完了と判定されると、ステップ１３８で、電磁弁３２を閉動作させ、湯張り配管６２を閉止する。これにより、足し水が停止される。一方、ステップ１３６で、目標値まで足し水が完了と判定されない場合は、目標値まで足し水が完了するまで、ステップ１３６が繰り返される。
【００７５】
さらに、ステップ１４０で、循環ポンプ４２を作動する（ＯＮ状態とする）。これにより、浴槽１８内から追焚復路管１６Ｂと追焚往路管１６Ａとに湯水が循環される。次いで、ステップ１４２で、湯水温度センサ６４で検出された湯水の温度（風呂温度）が所定の温度（例えば、体温である約３６℃）以下であるか否かが判定される。
【００７６】
ステップ１４２で、湯水温度センサ６４で検出された湯水の温度（風呂温度）が所定の温度（例えば、体温である約３６℃）以下であると判定されると、ステップ１４４で、終了判定基準を満足するか否かが判定される。終了判定基準としては、例えば、生体情報センサ９４で入浴者の安全が検出された場合、又は、リモコン７２の足し水停止ボタン１１２（図３参照）が押されて入浴者が復帰もしくは発見された場合などが挙げられる。ステップ１４４で、終了判定基準を満足すると判定されると、ステップ１４６で、循環ポンプ４２の作動を停止する（ＯＦＦ状態とする）。
【００７７】
一方、ステップ１４２で、湯水温度センサ６４で検出された湯水の温度（風呂温度）が所定の温度（例えば、体温である約３６℃）以下でないと判定されると、ステップ１３２に戻り、電磁弁３２の開動作により湯張り配管６２を開放し、以降のステップが繰り返される。また、ステップ１４４で、終了判定基準を満足しないと判定されると、ステップ１４２に戻る。
【００７８】
上記の浴室システム１０では、制御部８６は、生体情報センサ９４により所定の入浴状態が検出されたときに、給水装置２６を作動させることで、浴槽１８内の湯水よりも低い温度で足し水を行う。これにより、給水前よりも浴槽１８内の湯水の温度が低下する。したがって、例えば、入浴者が意識を失いやすい条件で入浴している場合などに、給水前よりも浴槽１８内の湯水の温度を低下させることができる。
【００７９】
このような浴室システム１０では、ヒートショック防止モードボタン１１４が押された状態で、湯水温度センサ６４で検出された湯水の温度が所定の温度（例えば、４１℃）以上のときは、給水システム１２によって、浴槽１８内の湯水の温度が所定の温度より低くなるように制御される。このため、浴槽１８内の湯水の温度が、例えば、入浴者が熱中症になりやすい条件である所定の温度以上となることを防止することができ、入浴者の熱中症を未然に防止することができる。
【００８０】
また、ヒートショック防止モードボタン１１４が押された状態で、湯水温度センサ６４で検出された湯水の温度が所定の温度（例えば、４１℃）以上のときは、制御部８６は、リモコン７２の追焚ボタン１０６が押されても、追焚モードを実行しない。このため、浴槽１８内の湯水の温度がそれ以上高くなることを防止することができる。
【００８１】
また、浴室システム１０では、制御部８６は、生体情報センサ９４により所定の入浴状態が検出されたときに、給水装置２６を作動させることで、浴槽１８内の湯水よりも低い温度で足し水を行う。このため、入浴者が意識を失いやすい条件で入浴している場合などに、給水前よりも浴槽１８内の湯水の温度を低下させることができ、入浴者の熱中症を未然に防止し、又は入浴者が熱中症気味の場合に早期に復帰させることができる。また、追焚用の循環配管１６（本実施形態では、追焚復路管１６Ｂ）に給水装置２６が接続されているため、追焚用の循環配管１６を利用して浴槽１８内の湯水よりも低い温度で足し水を行うことができる。
【００８２】
さらに、浴室システム１０では、生体情報センサ９４は、浴槽１８内の入浴者の心拍数を検出する心拍数センサ、入浴者の位置を検出する人感センサ、入浴者の血圧を検出する血圧センサ、及び入浴者の心電図を検出する心電図センサの少なくとも１つ以上を備えている。制御部８６は、心拍数センサ、人感センサ、血圧センサ、心電図センサの少なくとも１つ以上で検出された情報による入浴者の入浴状態に基づき、給水装置２６を作動させる。これにより、例えば、入浴者の心拍数や血圧が許容値よりも高い場合、入浴者が動かない場合などに、浴槽１８内の湯水よりも低い温度で足し水を行うことができる。
【００８３】
なお、浴室システム１０には、浴室２２に、音声を出力するスピーカ１００が配置されたリモコン７２が設けられており、制御部８６は、給水装置２６を作動させる前に、浴槽１８内の湯水に足し水が行われることをスピーカ１００から入浴者に報知するようにしてもよい。これにより、入浴者に事前に知らせることなく、いきなり浴槽１８内の湯水に足し水が行われることが回避される。
【００８４】
〔第２実施形態〕
次に、図７を用いて、本発明の第２実施形態の浴室システム１５０について説明する。なお、前述した第１実施形態と同一構成部分については、同一番号を付してその説明を省略する。
【００８５】
図７に示されるように、浴室システム１５０は、温度制御手段としての給水システム１５２を備えている。給水システム１５２は、給水装置２６に加えて、浴槽１８の底部の排水口３４を塞ぐ排水栓（自動排水栓）３６を開閉させる開閉手段としての排水アクチュエータ１５４を備えている。制御ユニット７４の制御部８６（図２参照）は、排水アクチュエータ１５４の作動を制御する。本実施形態では、浴槽１８の湯張り状態では、排水アクチュエータ１５４により、排水栓３６が排水口３４を閉止している。また、制御部８６（図２参照）は、給水装置２６を作動させて浴槽１８内に足し水を行うときは、排水アクチュエータ１５４によって排水栓３６を開動作させ、排水口３４を開放する。これにより、浴槽１８内の湯水が排水口３４から排水されつつ、給水装置２６により浴槽１８内の湯水よりも低い温度で足し水が行われる。
【００８６】
上記の給水システム１５２を備えた浴室システム１５０では、浴槽１８内に足し水を行う際に、浴槽１８内の湯水が増加し、又は溢れることを抑制することができる。また、入浴者が意識を失った場合又は熱中症気味の場合などでも、入浴者が浴槽１８内で溺れることを未然に防止することができる。
【００８７】
〔第３実施形態〕
次に、図８及び図９を用いて、本発明の第３実施形態の浴室システム１６０について説明する。なお、前述した第１及び第２実施形態と同一構成部分については、同一番号を付してその説明を省略する。
【００８８】
図８に示されるように、浴室システム１６０は、温度制御手段としての給水システム１６２を備えている。給水システム１６２では、第１実施形態の給水システム１２（図２参照）のリモコン７２に搭載された生体情報センサ９４が設けられていない。給水システム１６２では、第１実施形態の給水システム１２と比べて、給水装置２６を作動させる制御が異なる。なお、本実施形態の給水システム１６２の全体構成は、図１に示す第１実施形態の給水システム１２の全体構成と同じである。
【００８９】
図９は、本実施形態の給水システム１６２の制御系のフローチャートである。給水システム１６２では、第１実施形態の給水システム１２と比べて、異常状態となる前の入浴事故の予防のために、給水装置２６から浴槽１８内に足し水を行う点が異なる。
【００９０】
図９に示されるように、ステップ１７０では、浴槽１８内で入浴者の入浴が検出されたか否かを判定する。制御部８６（図８参照）は、水位センサ６６で検出された湯水の水位の情報によって、浴槽１８内で入浴者の入浴があったことを検出する。例えば、水位センサ６６で検出された湯水の水位の急激な上昇があった場合は、浴槽１８内に入浴者が入ったためであり、入浴を検出（入浴者が存在）と判定する。入浴が検出された場合は、入浴時間計測手段としてのタイマ９０（図８参照）によって、入浴開始からの時間が計測される。ステップ１７０で入浴が検出されない場合は、入浴が検出されるまでステップ１７０が繰り返される。
【００９１】
ステップ１７０で入浴が検出されたときは、ステップ１７２で、閾値以上の温度の湯に、所定時間入浴したか否かを判定する。一般的に、高い温度の湯に長時間浸かることがヒートショック（熱中症）を引き起こす原因となっていると言われており、消費者庁の公表資料（平成２８年１月２０日付け）には、「４１℃以下の湯で１０分未満に上がる」ことが安全な入浴方法として推奨されている。本実施形態では、ステップ１７２で、閾値（例えば、４０℃）以上の温度の湯に、所定時間（例えば、１０分）入浴したか否かを判定する。すなわち、本実施形態では、湯水温度センサ６４（図８参照）と、浴槽１８内の入浴者の入浴時間を計測するタイマ９０（図８参照）とが、「入浴状態検出手段」として機能している。ステップ１７２で、閾値（例えば、４０℃）以上の温度の湯に、所定時間（例えば、１０分）入浴していないと判定された場合は、ステップ１７２に戻る。
【００９２】
ステップ１７２で、閾値（例えば、４０℃）以上の温度の湯に、所定時間（例えば、１０分）入浴したと判定された場合は、ステップ１７４で、リモコン７２のスピーカ１００（図８参照）から注意喚起を促す情報を出力する。例えば、スピーカ１００から「入浴事故が発生する恐れがあるため、お風呂から上がってください。」といった注意喚起を促す情報を出力する。
【００９３】
さらに、ステップ１７６では、浴槽１８内で入浴者が不在となったか否かが判定される。制御部８６（図８参照）は、水位センサ６６で検出された湯水の水位の情報によって、浴槽１８内への入浴者が不在かどうかを判定する。例えば、水位センサ６６で検出された湯水の水位の急激な下降があった場合は、浴槽１８から入浴者が出たためであり、入浴者が不在と判定する。ステップ１７６で、入浴者が不在と判定された場合は、本実施形態の給水システムの制御を終了する。
【００９４】
一方、ステップ１７６で、入浴者が不在でないと判定された場合は、ステップ１７８で、注意喚起後に一定時間経過したか否かが判定される。本実施形態では、注意喚起後に一定時間（例えば、３分）経過したか否かが判定される。ステップ１７８で、注意喚起後に一定時間経過していないと判定された場合は、ステップ１７６に戻る。
【００９５】
ステップ１７８で、注意喚起後に一定時間経過したと判定された場合は、ステップ１８０で、リモコン７２のスピーカ１００から浴槽１８内に足し水を行う旨を報知する。本実施形態では、スピーカ１００から「入浴事故が発生する恐れがあるため、浴槽内に足し水を行います。」といった情報を報知する。
【００９６】
次いで、ステップ１８２で、電磁弁３２（図８参照）を開動作させ、給水装置２６を作動させる。これにより、浴槽１８内に足し水が行われる。
【００９７】
本実施形態の給水システム１６２を備えた浴室システム１６０では、閾値（例えば、４０℃）以上の温度の湯に、所定時間（例えば、１０分）入浴している場合に、注意喚起を促し、その後続けて一定時間（例えば、３分）入浴している場合に、強制的に浴槽１８内に足し水を行う。このため、入浴者が異常状態となること、すなわち、熱中症などの入浴事故を予防することができる。
【００９８】
また、本実施形態の浴室システム１６０では、例えば、ステップ１８０で、リモコン７２のスピーカ１００から浴槽１８内の湯水を排出する旨を報知したときに、入浴者が手動でリモコン７２（図３参照）の足し水停止ボタン１１２を押すことで、浴槽１８内に強制的に足し水を行うのを停止するようにしてもよい。
【００９９】
なお、本実施形態の浴室システム１６０では、生体情報センサが設けられていないが、この構成に代えて、生体情報センサ９４を設けた構成としてもよい。すなわち、生体情報センサ９４を設けることで、第１実施形態の浴室システム１０と同様に、入浴者の異常状態を検出したときに、浴槽１８内に足し水を行うようにしてもよい。
【０１００】
〔第４実施形態〕
次に、図１０を用いて、本発明の第４実施形態の浴室システム２００について説明する。なお、前述した第１〜第３実施形態と同一構成部分については、同一番号を付してその説明を省略する。
【０１０１】
図１０に示されるように、浴室システム２００は、浴室システム１６０は、温度制御手段としての給水システム２０２を備えている。給水システム２０２では、熱源機１４に給湯部４６が設けられており、給湯部４６に配管２０４が接続されている。給湯部４６は、配管２０４に供給する湯水をガスバーナ６０の熱を利用して加熱する構成とされている。浴槽１８内には、配管２０４が接続される供給口２０６が設けられている。供給口２０６には、吐出口２０６Ａが設けられており、配管２０４を流れた湯水が吐出口２０６Ａから浴槽１８内に吐出されるようになっている。また、給水システム２０２には、給湯部４６を介して配管２０４に接続され、浴槽１８内に足し水を行う給水手段としての給水装置２１０が設けられている。
【０１０２】
給水装置２１０は、給湯部４６の二次熱交換器５８に水を供給する給水配管２１２と、給水配管２１２の水の流動方向の上流側に配置された水供給部２１４と、を備えている。また、配管２０４には、配管２０４を開閉する弁としての電磁弁２１６が設けられている。また、配管２０４には、湯水の温度を検出する湯水温度センサ６４が設けられている。
【０１０３】
図示を省略するが、二次熱交換器５８に水を供給する給水配管２１２には、給水配管２１２から供給される水を二次熱交換器５８に通した後に一次熱交換器５６に通すように配置された配管が接続されている。配管は、一次熱交換器５６の出口で配管２０４の湯水流動方向の上流側に接続されている。通常の湯張りの際には、給湯部４６で二次熱交換器５８から一次熱交換器５６に流れる水がガスバーナ６０の熱を利用して加熱され、配管２０４に湯水が流れるようになっている。本実施形態では、給水装置２１０から配管２０４を介して浴槽１８内に足し水を行う際には、ガスバーナ６０を点火しない構成とされている。なお、図示を省略するが、本実施形態のリモコン７２は、図３に示す追焚ボタン１０６を無くした以外は、図３に示すリモコン７２の構成と同じである。
【０１０４】
次に、本実施形態の作用について説明する。
【０１０５】
＜通常の運転時＞
上記の給水システム２０２を備えた浴室システム２００では、通常の湯張りの際には、電磁弁２１６の開動作により配管２０４を開放することで、水供給部２１４から給水配管２１２を水が流れ、熱源機１４の給湯部４６に供給される。給湯部４６では、ガスバーナ６０が点火されることで、水が加熱される。さらに、加熱された湯水が配管２０４を流れて供給口２０６から浴槽１８内に供給される。そして、浴槽１８内に湯水が溜められた状態で、電磁弁２１６の閉動作により配管２０４を閉止する。また、入浴時に浴槽１８内の湯水の温度を上げたいときは、熱源機１４の給湯部４６から配管２０４を通じて高温の湯水を供給し、浴槽１８内の湯水と混ぜることで、浴槽１８内の湯水の温度が上昇する。
【０１０６】
＜ヒートショック防止モードの設定時＞
浴室システム２００では、リモコン７２のヒートショック防止モードボタン１１４が押されると、ヒートショック防止モードボタン１１４が点灯し、ヒートショック防止モードとなる（図３参照）。この状態では、リモコン７２の設定ボタン（図示省略）により、浴槽１８内の湯水の温度を所定の温度（例えば、４１℃）以上に設定しようとしても、設定ボタンが動作しない構成とされている。
【０１０７】
ヒートショック防止モードボタン１１４が押された状態で、湯水温度センサ６４で検出される湯水の温度が所定の温度（例えば、４１℃）以上のときは、制御部８６は、浴槽１８内の湯水の温度が所定の温度より低くなるような制御を行う。例えば、制御部８６は、浴槽１８内への湯張りの際には、浴槽１８内に所定の温度（例えば、４１℃）より低い湯水が溜められるように、熱源機１４の給湯部４６の火力を制御する。これにより、浴槽１８内の湯水の温度が、例えば、入浴者が熱中症になりやすい条件である所定の温度（例えば、４１℃）以上となることを防止することができ、入浴者の熱中症を未然に防止することができる。
【０１０８】
また、例えば、制御部８６は、浴槽１８内に湯水が溜められた後の場合は、給水装置２１０を作動させる。制御部８６は、電磁弁２１６の開動作により配管２０４を開放する。これにより、上水道の給水圧力によって、水供給部２１４から水が給水配管２１２を流れて給湯部４６に供給され、さらに水が配管２０４を通って浴槽１８内の供給口２０６から浴槽１８内に供給される。そのとき、給湯部４６のガスバーナ６０は点火されない。これにより、浴槽１８内の湯水よりも低い温度で足し水が行われる。このため、浴槽１８内の湯水の温度が所定の温度（例えば、４１℃）より低くなる。したがって、浴槽１８内の湯水の温度が、例えば、入浴者が熱中症になりやすい条件である所定の温度以上となることを防止することができ、入浴者の熱中症を未然に防止することができる。
【０１０９】
＜異常検出時＞
給水システム２０２では、異常状態が検出されたときに、電磁弁２１６が開動作され、給水装置２１０が作動される。これにより、水供給部２１４から水が給水配管２１２を流れて給湯部４６に供給され、さらに水が配管２０４を通って浴槽１８内の供給口２０６から浴槽１８内に供給される。そのとき、給湯部４６のガスバーナ６０は点火されないため、浴槽１８内に、浴槽１８内の湯水よりも低い温度で足し水が行われる。
【０１１０】
上記の給水システム２０２では、浴槽１８内に、浴槽１８内の湯水よりも低い温度で足し水が行われることで、給水前よりも浴槽１８内の湯水の温度が低下する。したがって、例えば、入浴者が意識を失いやすい条件で入浴している場合などに、給水前よりも浴槽１８内の湯水の温度を低下させることで、入浴者の熱中症を未然に防止し、又は入浴者が熱中症気味の場合に早期に復帰させることができる。
【０１１１】
〔第５実施形態〕
次に、図１１等を用いて、本発明の第５実施形態の浴室システム２３０について説明する。なお、前述した第１〜第４実施形態と同一構成部分については、同一番号を付してその説明を省略する。
【０１１２】
図１１は、本実施形態の浴室システム２３０の制御系のブロック図である。図１１に示されるように、浴室システム２３０は、温度制御手段としての給水システム２３２を備えている。浴室２２（図１参照）のリモコン７２には、浴室２２（図１参照）の温度を検出する浴室温度検出手段としての浴室温度センサ２３４が設けられている。浴室温度センサ２３４は、制御部８０に電気的に接続されている。浴室温度センサ２３４で検出された温度検出信号は、制御部８０で処理されることで浴室温度が計測される。浴室温度の情報は、リモコン７２の通信部８２から制御ユニット７４の通信部８８を介して制御部８６に送られる。
【０１１３】
また、浴室２２（図１参照）の天井には、浴室暖房乾燥機２３６が設けられている。制御部８６は、通信部８８を介して浴室暖房乾燥機２３６に電気的に接続されている。制御部８６は、浴室暖房乾燥機２３６の運転を制御する。浴室システム２３０の全体構成は、浴室温度センサ２３４と浴室暖房乾燥機２３６が設けられたほかは、第１実施形態の浴室システム１０と同じである。
【０１１４】
制御部８６は、生体情報センサ９４としての人感センサで検出された浴槽１８内の入浴者の位置情報に基づき、入浴者の動きが一定時間以上無いことが検出されたとき、生体情報センサ９４しての心拍数センサによって検出された入浴者の心拍数が、所定の心拍数の一例としての第１の閾値以上となったとき、生体情報センサ９４としての血圧センサによって検出された入浴者の血圧が、所定の血圧の一例としての第２の閾値以上となったとき、又は、生体情報センサ９４としての心電図センサによって検出された入浴者の心電図から読み取れる情報が、ある一定の条件を満たす場合に、給水装置２６を作動させる。これにより、給水装置２６によって浴槽１８内に、該浴槽１８内の湯水の温度より低い温度で足し水が行われる。また、制御部８６は、給水装置２６を作動させ、浴槽１８内に足し水を行った後、浴室温度センサ２３４で検出された浴室温度に基づき、浴室暖房乾燥機２３６の暖房運転を開始する。制御部８６は、例えば、浴室温度センサ２３４で検出された浴室温度が、所定の浴室温度以下（例えば、１８℃以下）であるときに、浴室暖房乾燥機２３６の暖房運転を開始する。なお、制御部８６は、例えば、浴室暖房乾燥機２３６の暖房運転の開始時から所定時間（例えば、１時間）を経過した後、及び浴室温度が所定の浴室温度以上（例えば、２５℃以上）となったときのいずれかの場合に、浴室暖房乾燥機２３６の暖房運転を停止する。
【０１１５】
このような給水システム２３２を備えた浴室システム２３０では、浴槽１８内に足し水を行うと同時に、浴室温度センサ２３４で検出された浴室温度に基づき、浴室暖房乾燥機２３６の暖房運転を開始することで、浴室２２の温度が上昇する。このため、浴槽１８内に足し水を行った後の放熱によって、浴室２２内の温度が下がり過ぎて、入浴者の状態が悪化することを防止することができる。
【０１１６】
〔変形例〕
また、第５実施形態の給水システム２３２を備えた浴室システム２３０の上記制御に代えて、図２に示す給水システム１２を備えた浴室システム１０において、足し水の後に、以下の制御を行ってもよい。図２に示されるように、制御部８６は、給水装置２６を作動させた後、湯水温度センサ６４によって検出された湯水の温度に基づき、熱源機１４の追焚部４４を作動させる（図４参照）。これにより、循環配管１６により浴槽１８内の湯水を循環させる。これによって、浴槽１８内の湯水の温度が上昇するため、足し水の後に放熱によって、浴槽１８内の湯水の温度が下がり過ぎて、入浴者の状態が悪化することを防止することができる。
【０１１７】
なお、第１〜第５実施形態では、リモコン７２に生体情報センサ９４が１個設けられているが、本発明は、この構成に限定されるものではない。例えば、生体情報センサは、浴室の天井や、浴槽内など、他の位置に何個設置してもよい。また、第１〜第５実施形態では、生体情報センサ９４は、入浴者と非接触で検出する方式であったが、本発明は、この構成に限定するものではなく、浴槽内に、入浴者と接触させて検出する接触型のセンサを用いてもよい。また、例えば、人感センサ、心拍数センサ、血圧センサ、心電図センサのうちの一部（例えば心電図センサ）を接触型のセンサとし、他のセンサを非接触のセンサとしてもよい。
【０１１８】
また、第１〜第５実施形態の給水システムでは、人感センサ、心拍数センサ、血圧センサ、心電図センサのいずれか１つの検出情報の条件を満たしたときに、給水装置を作動させ、浴槽１８内の湯水に足し水を行ったが、本発明は、これに限定するものではない。例えば、人感センサ、心拍数センサ、血圧センサ、心電図センサのいずれか２つ以上の検出情報の条件を満たしたときに、給水装置を作動させ、浴槽１８内の湯水に足し水を行う構成としてもよい。
【０１１９】
また、第１〜第５実施形態の給水システムでは、制御部８６は、生体情報センサ９４で検出された情報に基づいて、異常となり得る所定の入浴状態と判定したが、本発明はこの構成に限定されるものではない。例えば、制御部は、外部からのなんらかの信号を受けて、異常となり得る所定の入浴状態と判定しても構わない。
【０１２０】
また、第１〜第５実施形態の給水システムにおいては、各実施形態の構成に限定されるものではなく、第１〜第５実施形態の構成を２つ以上組み合わせた構成としてもよい。例えば、第４実施形態の浴室システム２００において、第５実施形態の浴室システム２３０の浴室暖房乾燥機２３６を備えた制御を適用してもよい。また、第４実施形態の浴室システム２００において、足し水の際に第２実施形態の排水アクチュエータ１５４を作動させる制御を適用してもよい。
【０１２１】
なお、実施形態を挙げて本発明の実施の形態を説明したが、これらの実施形態は一例であり、要旨を逸脱しない範囲内で種々変更して実施できる。また、本発明の権利範囲がこれらの実施形態に限定されず、本発明の要旨を逸脱しない範囲において種々なる態様で実施し得ることは言うまでもない。
【符号の説明】
【０１２２】
１０…浴室システム、１２…給水システム（温度制御手段）、１４…熱源機、１６…循環配管、１６Ａ…追焚往路管、１６Ｂ…追焚復路管、１８…浴槽、２０…循環口、２０Ａ…吐出口（循環口）、２０Ｂ…吸入口（循環口）、２２…浴室、２６…給水装置（給水手段）、３６…排水栓、４２…循環ポンプ、５４…ガスバーナ、６４…湯水温度センサ（湯水温度検出手段）、７２…リモコン（リモートコントローラ）、７４…制御ユニット（制御部）、７８…操作部、８６…制御部、９０…タイマ（入浴時間計測手段）、９４…生体情報センサ（心拍数検出手段、人体検出手段、血圧検出手段、心電図検出手段、入浴状態検出手段）、１００…スピーカ（報知手段）、１１４…ヒートショック防止モードボタン（禁止モード）、１５０…浴室システム、１５２…給水システム（温度制御手段）、１５４…排水アクチュエータ(開閉手段）、１６０…浴室システム、１６２…給水システム（温度制御手段）、２００…浴室システム、２０２…給水システム（温度制御手段）、２０４…配管、２０６…供給口、２１０…給水装置（給水手段）、２３０…浴室システム、２３２…給水システム（温度制御手段）、２３４…浴室温度センサ（浴室温度検出手段）、２３６…浴室暖房乾燥機
【図１】
2018165609.tif 000003
【図２】
2018165609.tif 000004
【図３】
2018165609.tif 000005
【図４】
2018165609.tif 000006
【図５】
2018165609.tif 000007
【図６】
2018165609.tif 000008
【図７】
2018165609.tif 000009
【図８】
2018165609.tif 000010
【図９】
2018165609.tif 000011
【図１０】
2018165609.tif 000012
【図１１】
2018165609.tif 000013